(57)【要約】【課題】従来のように複数のプラグが、壁コンセントに対し差し込まれていても互いに邪魔されることがなくアダプタのスイッチの操作部の操作が行える。【解決手段】複数口ある壁コンセント等に対し、全てのコンセントを利用するために、導電性の複数組の栓刃で接続することを特徴とする一体型のスイッチ付コンセントアダプタとし、それぞれオンオフできる。また、相手のコンセントが異なる寸法間でもスライド式により差込可能となる。【選択図】  図２
2006286453.tif 000002
【特許請求の範囲】
【請求項１】
スイッチと差込口を設けたスイッチ付アダプタにおいて、相手側のコンセントに対し、本体から足（栓刃）を２本ではなく、それぞれ導電性の複数組の４本足、６本足等のプラグで差し込み接続固定し、それぞれ電気的にオン、オフするためのスイッチを設けた一体型のスイッチ付アダプタ。
【請求項２】
複数組の足（栓刃）の中心間距離を可動部（スライド機構等）により変えることができる請求項１記載のスイッチ付アダプタ。
【請求項３】
下面にコンセント口を複数口設けることを特徴とする請求項１記載又は請求項２記載のスイッチ付アダプタ。
【請求項４】
スイッチ付アダプタ本体裏側の面に、相手コンセントの四端の方に支持されるように緩衝材を設けたことを特徴とする請求項１記載又は請求項２記載又は請求項３記載のスイッチ付アダプタ。
【請求項５】
スイッチ付アダプタ本体内部にある回路をそれぞれ独立し、栓刃一つに対しスイッチとコンセントは一つだけ設けたことを特徴とする請求項１記載又は請求項２記載又は請求項３記載の又は請求項４記載のスイッチ付アダプタ。
【発明の詳細な説明】
【技術分野】
【０００１】
本発明は、壁などに据付けられたコンセントに対し複数の家電製品の電源プラグとの間を電気的にオン、オフするためのスイッチを設けたスイッチ付アダプタに関するものである。
【背景技術】
【０００２】
従来この種のものは、電化製品と壁コンセント等の間に延長コードのあるスイッチ付タップやスイッチ付アダプタなるものを接続し、その家電製品のオン、オフを行っていた。
壁などに据付けられたコンセントは、通常二組又は三組等のプラグ差込口が設けられている。これまでのスイッチ付アダプタの場合、相手側のコンセントの差込口が複数あっても一組に対し利用できるよう設計されているため、デザインによっては、図９のように、他方の壁コンセントが使えなくなるか、そのコンセントに差し込まれているプラグやコードが邪魔になり、図１０のように、スイッチ付アダプタのスイッチの操作がしにくくなる。また、他方のコンセントを利用できるようにするにはデザイン面でかなり制約されてしまう等の問題がある。
【発明の開示】
【発明が解決しようとする課題】
【０００３】
解決しようとする課題は、コンセントに存在する複数口のコンセント全てに対し、それぞれスイッチのオン、オフ操作が可能とし、また、複数のプラグが差し込まれていても互いに邪魔されることがなく操作ができ、さらに、その状態でも、見た目がスッキリするようなデザインが可能なスイッチ付アダプタにすること、理想は部屋に最初からある電灯などの壁スイッチのように便利かつデザイン性を求めることを課題とする。
【課題を解決するための手段】
【０００４】
上記目的を達成すべく本発明は、複数口ある壁コンセント等に対し、全てのコンセントを利用し、導電性の複数組の栓刃で接続することを特徴とする一体型のスイッチ付コンセントアダプタを提供する。これによって、複数の家電製品のプラグが接続されていても、他方に影響されずにスイッチのオン、オフをそれぞれ行うことが出来る。さらに、相手の壁コンセントに対し制約なく、自由なデザインのスイッチ付コンセントアダプタにすることができる。
また、複数組ある差し込みコンセントの中心間距離が異なる場合でも、本体裏の栓刃にスライド機構等の可動部を設けることにより一体型のスイッチ付コンセントアダプタを接続可能とする。
また、スイッチ付コンセントアダプタの下面側に複数の差込口を設けるのが好ましい。このような構成とすることで、接続した複数の家電製品のコードが、それぞれ省スペースに壁に沿って処理でき見た目にもすっきりする。
また、デザイン面の自由度を生かしスイッチ付コンセントアダプタ表面にスイッチを大きくとる場合、上方から見ると、スイッチを押す時、回転方向の力が栓刃に加わってしまう。そこでスイッチ付アダプタ本体裏側の面に、相手コンセントの可能な限り四端に支持されるように緩衝材を設ける。このような構成とすることで、スイッチを操作した時、壁コンセント面に力を分散させ栓刃へ無理な力が加わるのを防ぐことが出来る。また、異音も防ぐことが出来る。
また、アダプタ内部で回路を分岐せず、栓刃が二組ならアダプタに設けるコンセントも二組、栓刃が三組ならアダプタに設けるコンセントも三組と、それぞれ独立系統とすれば、発熱や容量等も確保されたままであり安全で好ましい。
【発明の効果】
【０００５】
上記のように本発明の請求項１記載の発明にあっては、スイッチ付コンセントアダプタに栓刃が複数持つことにより、複数のスイッチも自由に配置、一体感のあるデザインが可能となり、他方に邪魔されずにスイッチのオン、オフをそれぞれ行うことが出来る。さらに、このスイッチ付コンセントアダプタは、より確実に安全に固定される。
【０００６】
上記のように本発明の請求項２記載の発明にあっては、相手のコンセントが異なる寸法間でもスライド式により差込可能となる。
【０００７】
上記のように本発明の請求項３記載の発明にあっては、下面側に複数のコンセントを設けることにより壁に沿って下方向に、接続した複数の家電製品のコードを整然と処理でき、張り出しもなく見た目がすっきりする。
【０００８】
上記のように本発明の請求項４記載の発明にあっては、本体は複数の栓刃によりしっかりと固定されているが、緩衝材によりスイッチを押した時にも確実に固定され、異音も軽減することが可能である。
【０００９】
上記のように本発明の請求項５記載の発明にあっては、それぞれ回路を独立系統とすれば、内部の発熱量も増えることなく、コンセントに差し込むのと同等の安全性が確保される。
【発明を実施するための最良の形態】
【００１０】
以下、本発明を添付図面に示す実施例に基づいて説明する。
【実施例１】
【００１１】
第１実施例を図１に示す。本発明のスイッチ付コンセントアダプタ１は、二組のスイッチ４、５が表面に、二組のコンセント６、７が下面に備えてあり、コンセント６、７に接続された家電製品をそれぞれオン、オフできるものである。図８（ａ）又は（ｂ）に示す壁コンセント１１の二組のコンセント１２、１３に差し込めるように、二組の導電性の栓刃２、３が備えてある。スイッチ付コンセントアダプタ１には、図示しない内部はそれぞれ独立の回路２系統で、導電体により栓刃、スイッチ、コンセントが結合されている。
従って、図４のように、下面のコンセント６、７に接続した二組の家電製品のコードに邪魔されることなくスイッチ４、５の操作ができる。
【実施例２】
【００１２】
第２実施例を図２に示す。実施例１と異なるのは、スイッチ付コンセントアダプタ１の裏面には、二組の導電性の栓刃２、３が備えてあるが、一方に図１では栓刃２（栓刃３でもよい）にスライド機構８を有する。したがって、図８（ａ）（ｂ）に示すように壁コンセント１１のコンセント１２、１３の寸法Ａ、Ｂが異なる場合でも、このスイッチ付コンセントアダプタ１を接続させることができる。
【実施例３】
【００１３】
第３実施例を図３に示す。実施例１と異なるのは、三組のスイッチ４ａ、４ｂ、４ｃが表面に三組のコンセント６ａ、６ｂ、６ｃが側面に備えてあり、コンセント６ａ、６ｂ、６ｃに接続された家電製品をそれぞれオン、オフできるものである。図８（ｃ）に示すように三組のある壁コンセント１１の三組のコンセント１２、１３、１４に差し込めるように、三組の導電性の栓刃２ａ、２ｂ、２ｃが備えてある。
従って、側面のコンセント６ａ、６ｂ、６ｃに接続した三組の家電製品のコードに邪魔されることなくスイッチ４ａ、４ｂ、４ｃの操作ができる。
【実施例４】
【００１４】
第４実施例を図２に示す。スイッチ付コンセントアダプタ１の表面には、デザイン面の自由度を生かしアダプタ表面にスイッチ４、５を大きくとる場合、図７のように上方から見ると、スイッチを押す時、無理な力が栓刃２、３に加わってしまう。そこで相手コンセント１１の可能な限り四端に支持されるようにスイッチ付コンセントアダプタ１裏面に緩衝材９を設ける。従って無理な力を軽減することができる。
【実施例５】
【００１５】
実施例の変更例： 以上のような第１実施例〜第４実施例のスイッチ付コンセントアダプタについては、例えば以下のような変更、組み合わせが可能である。
変更例１：第３実施例については、第１実施例の下面にコンセントを設けることを合わせて、本体の形状を箱型ではなく図５のようにしてもよい。思い切ったデザインが可能。
変更例２：第２実施例については、可動部をスライド機能ではなく差し込み式にしてねじ等で固定するタイプでもよい。
変更例３：第1実施例又は第２実施例で図６のように、それぞれ一個の独立回路に対し複数の差込口を設けるタイプでもよい。
【図面の簡単な説明】
【００１６】
【図１】本考案に係るスイッチ付コンセントアダプタの一実施例を示した斜視図で、（ａ）は正面側から見た斜視図であり、（ｂ）は背面側から見た斜視図であり、（ｃ）は横にした状態で上方から見た斜視図である。（実施例１）
【図２】本考案に係るスイッチ付コンセントアダプタの一実施例を示した斜視図で、（ａ）は正面側から見た斜視図であり、（ｂ）は背面側から見た斜視図であり、（ｃ）は横にした状態で上方から見た斜視図である。（実施例２）
【図３】本考案に係るスイッチ付コンセントアダプタの一実施例を示した斜視図で、（ａ）は正面側から見た斜視図であり、（ｂ）は背面側から見た斜視図である。（実施例３）
【図４】本考案に係るスイッチ付コンセントアダプタの一実施例を示した使用状態の斜視図。
【図５】本考案に係るスイッチ付コンセントアダプタの一実施例を示した使用状態の斜視図。
【図６】本考案に係るスイッチ付コンセントアダプタの一実施例を示した使用状態の斜視図。
【図７】第４実施例によるスイッチ操作時の上方からの説明図。
【図８】壁にあるコンセントの斜視図で、（ａ）は差込口二組タイプの正面側から見た斜視図であり、（ｂ）も差込口二組タイプの正面側から見た斜視図であり、（ｃ）は差込口三組タイプの正面側から見た斜視図である。
【図９】従来の実施例（他方のコンセントが使用できない。）の斜視図。
【図１０】従来の実施例（他方のコードが操作上の邪魔になる。）の斜視図。
【符号の説明】
【００１７】
１  本体
２  栓刃
２ａ  栓刃
２ｂ  栓刃
２ｃ  栓刃
３  栓刃
４  スイッチ
４ａ  スイッチ
４ｂ  スイッチ
４ｃ  スイッチ
５  スイッチ
６  コンセント
６ａ  スイッチ
６ｂ  スイッチ
６ｃ  スイッチ
７  コンセント
８  可動部（スライド部）
９  緩衝材
１１  壁コンセント本体
１２  コンセント
１３  コンセント
１４  コンセント
Ａ  コンセント間の寸法
Ｂ  コンセント間の寸法
【図１】
2006286453.tif 000003
【図２】
2006286453.tif 000004
【図３】
2006286453.tif 000005
【図４】
2006286453.tif 000006
【図５】
2006286453.tif 000007
【図６】
2006286453.tif 000008
【図７】
2006286453.tif 000009
【図８】
2006286453.tif 000010
【図９】
2006286453.tif 000011
【図１０】
2006286453.tif 000012